(57)【特許請求の範囲】
【請求項１】
縦片の上端近傍で天井躯体に支持されると共に下端近傍に横片が設けられてなる長尺の支持部材と、複数の支持部材間で横片に載置されて配設される天井板と、複数の支持部材間に配設されて支持部材に支持される設備部材とを備えたシステム天井において、前記支持部材の横片が、前記縦片の一側面側の下端に縦片と略垂直方向に突設されて前記天井板が載置される第１の横片と、前記縦片の他側面側である前記設備部材が配設される側に前記第１の横片が形成する面よりも上側に位置するように突設されてなる第２の横片とを備えて形成され、
前記設備部材として照明器具を備え、この照明器具が、その側壁と前記第２の横片の先端との間に空気吹出が可能な開口を有するように前記支持部材に係止され、
前記照明器具の側壁の下端外側に外鍔を設け、この外鍔の外方端部を、少なくとも前記第２の横片の先端の下方位置よりも外方に位置させて、天井の下面に露出する支持部材の面積を減少させ、同外鍔は、外方端部で上内方に折り返されて形成された傾斜面を備え、この傾斜面が前記第２の横片の先端と縦片の下端を結ぶ方向に形成された支持部材側の連続傾斜面と略対向するように配設されたことを特徴とするシステム天井。
【請求項２】
前記支持部材の縦片の下端と前記第２の横片の先端との間に、この間を略覆う着脱自在な機能部材を設け、この機能部材によって前記連続傾斜面を形成したことを特徴とする請求項１記載のシステム天井。
【請求項３】
前記支持部材の第２の横片が、前記縦片の下端から先端に向かって連続的に形成された連続傾斜面を備えることを特徴とする請求項１記載のシステム天井。
【発明の詳細な説明】
【０００１】
【発明の属する技術分野】
本発明は、システム天井に関するものである。
【０００２】
【従来の技術】
図７は、従来のシステム天井を示すもので、このシステム天井は、支持部材１と、その支持部材１に支持される天井板２と設備部材３とを備えて構成されている。
【０００３】
支持部材１は、長尺でその断面が略逆Ｔ字状に形成されたいわゆるＴバーであって、上端近傍が吊設部材（図示せず）により天井躯体に支持される縦片１ａと、その縦片１ａの下端に、縦片１ａに対して略垂直に両側方に突出するように設けられた横片１ｂとを備えて形成されている。そして、複数の支持部材１が所定の間隔をあけて略平行をなすように格子状に天井に配設されている。
【０００４】
天井板２は、略平板状であってその周端が支持部材１の横片１ｂに載置されて配設されている。また、設備部材３は、照明器具３ａと非常用照明器具３ｂであって、一方の設備部材３である照明器具３ａは略平行に配設された２つの支持部材１の縦片１ａが形成する空間に、下端を支持部材１の横片１ｂに載置させて取り付けられている。そして、他方の設備部材３である非常用照明器具３ｂは、その照明器具３ａを支持する支持部材１の側方に、略平行にさらに１つの支持部材１を配設して、その下端を支持部材１の横片１ｂに載置させて取り付けられている。
【０００５】
また、図示はしないが、設備部材として、ラインディフューザと呼ばれる空調設備や細幅のスピーカ等の細幅の部材を設置する際や、リターンと呼ばれる空調環気スペースを設ける際には、設備部材である照明器具の両側に、片側２本ずつの支持部材であるＴバーを設置して行っていた。
【０００６】
【発明が解決しようとする課題】
しかしながら、このように構成された従来のシステム天井においては、支持部材１であるＴバーの横片１ｂが、縦板１ａの下端から両側に略垂直に突設されているため、支持部材１の天井の下面に露出する部分の面積が広くなって天井の見栄えが悪いという問題点があった。特に、設備部材３として照明器具３ａと共にそれ以外の設備部材３を設ける場合には、さらに支持部材１が余分に必要となって天井下面に露出する横片１ｂの面積が増大して、この問題がさらに顕著になっていた。
【０００７】
本発明は、上記問題点に鑑みてなされもので、その目的とするところは、天井下面に露出する支持部材の面積を少なくした見栄えの良いシステム天井を提供することにある。
【０００８】
【課題を解決するための手段】
本発明は上記の問題点を解決するため、請求項１記載の発明にあっては、縦片１ａの上端近傍で天井躯体に支持されると共に下端近傍に横片１ｂが設けられてなる長尺の支持部材１と、複数の支持部材１間で横片１ｂに載置されて配設される天井板２と、複数の支持部材１間に配設されて支持部材１に支持される設備部材３とを備えたシステム天井において、前記支持部材１の横片１ｂが、前記縦片１ａの一側面側の下端に縦片１ａと略垂直方向に突設されて前記天井板２が載置される第１の横片１ｃと、前記縦片１ａの他側面側である前記設備部材３が配設される側に前記第１の横片１ｃが形成する面よりも上側に位置するように突設されてなる第２の横片１ｄとを備えて形成されている。
【０００９】
又、請求項１記載の発明にあっては、前記設備部材３として照明器具３ａを備え、この照明器具３ａが、その側壁３ｃと前記第２の横片１ｄの先端との間に空気吹出が可能な開口１ｅを有するように前記支持部材１に係止されている。
【００１０】
又、請求項１記載の発明にあっては、前記照明器具３ａの側壁３ｃの下端外側に外鍔３ｄを設け、この外鍔３ｄの外方端部を、少なくとも前記第２の横片１ｄの先端の下方位置よりも外方に位置させて、天井の下面に露出する支持部材１の面積を減少させている。
【００１１】
そして、請求項１記載の発明にあっては、前記照明器具３ａの外鍔３ｄは、外方端部で上内方に折り返されて形成された傾斜面３ｅを備え、この傾斜面３ｅが前記第２の横片１ｄの先端と縦片１ａの下端を結ぶ方向に形成された支持部材１側の連続傾斜面と略対向するように配設されたことを特徴とするものである。
【００１５】
請求項２記載の発明にあっては、請求項１記載のシステム天井において、前記支持部材１の縦片１ａの下端と前記第２の横片１ｄの先端との間に、この間を略覆う着脱自在な機能部材５を設け、この機能部材５によって前記連続傾斜面を形成したことを特徴とするものである。
【００１６】
請求項３記載の発明にあっては、請求項１記載のシステム天井において、前記支持部材１の第２の横片１ｄが、前記縦片１ａの下端から先端に向かって連続的に形成された連続傾斜面を備えることを特徴とするものである。
【００１７】
【発明の実施の形態】
図１及び図２は、本発明のシステム天井の第１の実施の形態を示すものであり、このシステム天井は、支持部材１と、この支持部材１に支持される天井板２と設備部材３とを備えて構成されている。
【００１８】
支持部材１は、上端近傍が吊設部材（図示せず）により天井躯体に支持される縦片１ａと、その下端近傍に設けられて第１の横片１ｃと第２の横片１ｄとからなる横片１ｂとを備えて長尺に形成されている。第１の横片１ｃは、縦片１ａの一側面側の下端に、縦片１ａに対して略垂直をなすように形成されており、その第１の横片１ｃの上面には天井板２の端部が載置できるようにされている。また、第２の横片１ｄは、縦片１ａの他側面側に形成され、第１の横片１ｃが形成する面よりも上側に位置するように縦片１ａの下端から斜め上方に突設されて形成されており、その下面側が略平面状であって連続した傾斜面をなすようにされている。そして、複数の支持部材１が、第２の横片１ｄが対向するように天井に略平行に配設されており、略格子状に形成された複数の支持部材１の間には、略平板状の天井板２が、その周端が支持部材１の横片１ｂに載置されて取り付けられている。
【００１９】
設備部材３としては、照明器具３ａと、下端に吹出口アダプタ３ｍを備えた空調吹出口３ｎが取り付けられており、それらはそれぞれ支持部材１の第２の横片１ｄを設けた側に配設されている。照明器具３ａは、内部にランプが収容されると共に少なくとも下方に開口してなり、その幅が支持部材１間の幅よりも狭く形成されると共に、その側壁３ｃの下端には、側壁３ｃよりも外方に、つまり、支持部材１の方向に向かって突出する外鍔３ｄを備えた枠状体部３ｐが装着されている。この外鍔３ｄは、突出した外方端部が上内方である側壁３ｃ側に折り返されて側壁３ｃの外側に傾斜面３ｅを有するように形成されている。また、照明器具３ａの側壁３ｃには、支持部材１の縦片１ａの上端に載置されて支持部材１間に照明器具３ａを架設させる取付部材３ｑが設けられている。そして、照明器具３ａは、略平行に配設された２本の支持部材１間に、その側壁３ｃと支持部材１の第２の横片１ｄの先端との間に空気吹出が可能な開口１ｅを有するように取り付けられている。
【００２０】
空調吹出口３ｎは、細幅の略角筒状であって、照明器具３ａと支持部材１の縦片１ａ間の開口１ｅから下方に空調空気を送り出せるように、照明器具３ａの一方の側壁３ｃに係止されて、吹出口アダプタ３ｍの下端を第２の横片１ｄの先端に載置させて配設されており、吹出口アダプタ３ｍの支持部材１側には、支持部材１の縦片１ａの上端に載置される取付脚３ｒが設けられている。
【００２１】
そして、照明器具３ａの下端の外鍔３ｄの外側端部は、第２の横片１ｄの先端の下方よりも外方である支持部材１の縦片１ａ側に突出するようにされ、外鍔３ｄの傾斜面３ｅが、第２の横片１ｄの先端と縦片１ａの下端を結ぶ線である第２の横片１ｄの下側の連続した傾斜面に略対向するように配設されて取り付けられる。また、照明器具３ａの側壁３ｃと支持部材１の縦片１ａの間であって、第２の横片１ｄの先端の上側にはもう１つの設備部材３である空調吹出口３ｎが、開口１ｅに臨むように取り付けられている。
【００２２】
このように構成されているため、本実施の形態におけるシステム天井においては、第２の横片１ｄが第１の横片１ｃよりも上方に設けられており、第１の横片１ｃと同一平面内に位置して天井の下面に露出する支持部材１の面積が減少して、システム天井を下方から見たときに見える支持部材１が少なくなって見栄えを良くすることができる。また、設備部材３である照明器具３ａの側方に他の設備部材である例えば空調吹出口３ｎを取り付ける場合にも、支持部材１は２本あれば良く従来のように３本以上必要とはしなくなって、上述の効果がさらに顕著となるほか、部品点数の削減と施工工数が削減できてコストを削減できる。さらには、照明器具３ａの開口側の下端に外鍔３ｄを設け、その外鍔３ｄの外方端部を第２の横片１ｄの先端よりも外方に位置させているため、第２の横片１ｄの先端と外鍔３ｄの外方端部との間で空調吹出口３ｎから天井下面に吹き出される空気の流れ出る方向を制御することもできる。また、外鍔３ｄに設けた傾斜面３ｅを第２の横片１ｄと対向させて配設させているため、空調吹出口３ｎから吹き出される空気が傾斜面３ｅに当って下方にスムーズに誘導されて空気の流れをさらに良く制御することもできる。
【００２３】
図３は、本発明のシステム天井の第１参考例を示すもので、前記第１の実施の形態と異なる点は、設備部材３として設備プレート３ｆを取り付けた点であり、他は前記第１の実施の形態と同様に構成されている。
【００２４】
設備プレート３ｆは、第２の横片１ｄの先端に載置されて係止される外周係止部３ｇと、第２の横片１ｄの先端よりも内側で外周係止部３ｇの内端から縦片１ａと略同じ位置まで下方に垂下される垂下壁面部３ｈと、この垂下壁面部３ｈ間をつなぐプレート面部３ｋとを備えて形成されている。そして、外周係止部３ｇが、第２の横片１ｄの先端に係止されるように支持部材１間に配設される。なお、図において３ｓは、紐を介して設備プレート３ｆを支持部材１の縦片１ａに係止させる脱落防止部を示す。
【００２５】
このように構成されているため、本第１参考例におけるシステム天井においては、設備プレート３ｆを装着させる場合であっても、第１の横片１ｃと同一面内に位置して天井の下面に露出する支持部材１の面積が減少して、システム天井の見栄えを良くすることができる。
【００２６】
図４は、本発明のシステム天井の第２参考例を示すもので、前記第１の実施の形態と異なる点は、第２の横片１ｄの先端に、回動自在に形成されて、照明器具３ａの側壁３ｃと支持部材１の縦片１ａ間に開口１ｅ側に突出可能とされた可動ベーン４を設けた点であり、他は前記第１の実施の形態と同様に構成されている。
【００２７】
このように構成しても、前記第１の実施の形態と同様の効果を奏すると共に、可動ベーン４を回動させて開口１ｅ側に突出させることにより、開口１ｅを流れ出る空気の流れを可変制御できて、空調吹出口３ｎから天井下面に吹き出される空気の流れの方向を自在に制御することができる。
【００２８】
図５は、本発明のシステム天井の第３参考例を示すもので、前記第１の実施の形態と異なる点は、支持部材１の横片１ｂの一方である第２の横片１ｄと設備部材３としての照明器具３ａであり、他は前記第１の実施の形態と同様に構成されている。
【００２９】
支持部材１の第２の横片１ｄは、支持部材１の縦片１ａの、第１の横片１ｃと反対側の側面であって、縦片１ａの下端よりも上方で縦片１ａから略垂直方向に突出するように形成されている。
【００３０】
設備部材３としての照明器具３ａは、内部にランプが収容されると共に少なくとも下方に開口してなり、その幅が支持部材１間の幅よりも僅かに狭く形成されている。また、側壁３ｃには、複数の支持部材１の縦片１ａの上端に載置されて支持部材１間に照明器具３ａを架設する取付部３ｔが設けられており、側壁３ｃの下端には、先端が上方に折り曲げられて先端が第２の横片１ｄの下面に略当接するように装着される当接部３ｕを備えた枠状体部３ｐが装着されている。そして、照明器具３ａは、２本の支持部材１の間で縦片１ａとの間に、ほとんど隙間を形成しないように取付部３ｔを縦片１ａの上端に載置し、当接部３ｕの先端を第２の横片１ｄの下面に略当接させるようにして取り付けられている。
【００３１】
このように構成されているため、本第３参考例におけるシステム天井においては、第１の横片１ｃと同一面内に位置して天井の下面に露出する支持部材１の面積が減少して、システム天井の見栄えを良くすることができる。また、第２の横片１ｄの下側が設備部材３で隠されていない場合であっても、第２の横片１ｄが縦片１ａの下端よりも上側から突出するようにされているため、第２の横片１ｄがさらに目立ちにくくなって、システム天井の見栄えをさらに良くすることができる。
【００３２】
図６は、本発明のシステム天井の第２の実施の形態を示すもので、前記第３参考例と異なる点は、支持部材１の第２の横片１ｄの下側であって縦片１ａとの間の角部に機能部材５を着脱自在に設けた点であり、他は前記第３参考例と同様に構成されている。
【００３３】
つまり、支持部材１の第２の横片１ｄの下側であって縦片１ａとの間の角部には係合溝１ｆが設けられており、その係合溝１ｆには、一面側に係合爪５ａを備え他面側が平面とされると共に、係合爪５ａを係合溝１ｆに係止させることにより他面側が縦片１ａの下端から第２の横片１ｄの先端に向かって連続的な傾斜面を形成する機能部材５が後付け可能に設けられているのである。
【００３４】
このように構成しても前記第３参考例と同様の効果を奏すると共に、この支持部材１を第２の横片１ｄの下面を露出させて使用する場合であっても、機能部材５によりシステム天井の見栄えを良くすることができ、設備部材３として空調吹出口３ｎを設けた場合には、機能部材５により空気の流れを制御することもできる。
【００３５】
なお、前記各実施の形態及び参考例においては、設備部材３として、照明器具３ａと、設備プレート３ｆ、及び空調吹出口３ｎのうちの１つ、または複数を用いたシステム天井を例示して説明を行ったが、本発明はこれに限らず、例えばスピーカや、非常灯等のその他の設備部材３を有するものであっても良い。
【００３６】
【発明の効果】
このように構成されているため本発明は、請求項１記載の発明にあっては、第２の横片が第１の横片よりも上方に設けられており、第１の横片と同一平面内に位置して天井の下面に露出する支持部材の面積が減少して、システム天井の見栄えを良くすることができる。
【００３７】
請求項１記載の発明にあっては、上記の効果に加えて、設備部材である照明器具の側方に他の設備部材である例えば空調吹出口を取り付ける場合にも、支持部材は２本あれば良く従来のように３本以上必要とはしなくなって、天井の下面に露出する支持部材の面積が減少して見栄えが良くできると共に、部品点数の削減と施工工数が削減できてコストを削減できる。
【００３８】
請求項１記載の発明にあっては、上記の効果に加えて、照明器具の開口側の下端に外鍔を設け、その外鍔の外方端部を第２の横片の先端よりも外方に位置させているため、第２の横片の先端と外鍔の外方端部との間で空調吹出口から天井下面に吹き出される空気の流れの方向を制御することもできる。
【００３９】
請求項１記載の発明にあっては、上記の効果に加えて、照明器具の外鍔に設けた傾斜面を第２の横片と対向させて配設させているため、空調吹出口から吹き出される空気が傾斜面に当たって下方にスムーズに誘導されて空気の流れをさらに良く制御することもできる。
【００４３】
請求項２記載の発明にあっては、請求項１記載の発明の効果に加えて、支持部材を第２の横片の下面を露出させて使用する場合であっても、機能部材を装着させることによりシステム天井の見栄えを良くすることができ、設備部材として空調吹出口を設けた場合には、機能部材により空気の流れを制御することもできる。
【００４４】
請求項３記載の発明にあっては、請求項１記載の発明の効果に加えて、第２の横片が連続的な傾斜面であるため見栄えが良い。
【図面の簡単な説明】
【図１】本発明のシステム天井の第１の実施の形態を示す断面図である。
【図２】同上の支持部材の側面図である。
【図３】本発明のシステム天井の第１参考例を示す断面図である。
【図４】本発明のシステム天井の第２参考例の要部を示す断面図である。
【図５】本発明のシステム天井の第３参考例を示す断面図である。
【図６】本発明のシステム天井の第２の実施の形態の要部である支持部材を示す側面図である。
【図７】従来のシステム天井を示す断面図である。
【符号の説明】
１            支持部材
１ａ        縦片
１ｂ        横片
１ｃ        第１の横片
１ｄ        第２の横片
１ｅ        開口
２            天井板
３            設備部材
３ａ        照明器具
３ｃ        側壁
３ｄ        外鍔
３ｅ        傾斜面
３ｆ        設備プレート
３ｇ        外周係止部
３ｈ        垂下壁面部
３ｋ        プレート面部
４            可動ベーン
５            機能部材
【図１】
0003544053.tif 000002
【図２】
0003544053.tif 000003
【図３】
0003544053.tif 000004
【図４】
0003544053.tif 000005
【図５】
0003544053.tif 000006
【図６】
0003544053.tif 000007
【図７】
0003544053.tif 000008